(57)【要約】【課題】収容本体部からカバーが外れることを抑えることができる導電部材収容箱を提供する。【解決手段】導電部材収容箱１０の収容本体部２０は、カバー側係合部３１と係合するための本体側係合部２４と、カバー３０に対して、カバー側係合部３１と本体側係合部２４との係合が解除される解除方向の力が加えられた時に、解除方向と反対方向からカバー側係合部３１に当接してカバー側係合部３１の移動を規制する規制壁部２３とを有する。【選択図】図２
2018101538.tif 000002
【特許請求の範囲】
【請求項１】
開口部を有して該開口部内に蓄電素子と接続される導電部材を収容する収容本体部と、
前記収容本体部に取り付けられて前記開口部を閉塞可能なカバーと、
を備えた導電部材収容箱であって、
前記カバーは、前記収容本体部と係合するためのカバー側係合部を有し、
前記収容本体部は、前記カバー側係合部と係合するための本体側係合部と、前記カバーに対して、前記カバー側係合部と前記本体側係合部との係合が解除される解除方向の力が加えられた時に、前記解除方向と反対方向から前記カバー側係合部に当接して前記カバー側係合部の移動を規制する規制壁部とを有することを特徴とする導電部材収容箱。
【請求項２】
請求項１に記載の導電部材収容箱において、
前記本体側係合部は、前記規制壁部から前記収容本体部側に延出するように構成されることを特徴とする導電部材収容箱。
【請求項３】
請求項１又は２に記載の導電部材収容箱において、
前記カバー側係合部は、前記本体側係合部を嵌入して係合可能な枠状をなすことを特徴とする導電部材収容箱。
【請求項４】
請求項１〜３のいずれか一項に記載の導電部材収容箱において、
前記導電部材は、前記蓄電素子の電圧を検知するための電圧検知線であることを特徴とする導電部材収容箱。
【発明の詳細な説明】
【技術分野】
【０００１】
本発明は、導電部材収容箱に関するものである。
【背景技術】
【０００２】
従来、内部に導電部材を収容する収容本体部と、収容本体部の開口部を閉塞するカバーとを備えた導電部材収容箱が知られている（例えば、特許文献１参照）。
このような導電部材収容箱では、収容本体部（特許文献１において単位溝部）に係止孔部が設けられ、カバーに係止爪部が設けられる。そして、係止爪部が収容本体部の係止孔部に係止されることでカバーが収容本体部に対してロックされる構成となっている。
【先行技術文献】
【特許文献】
【０００３】
【特許文献１】特開２０１１−８９５５号公報
【発明の概要】
【発明が解決しようとする課題】
【０００４】
ところで、上記のような導電部材収容箱では、係止爪部が収容本体部の係止孔部に係止されることでカバーが収容本体部に対してロックされる構成となっている。しかしながら、カバーに対して、係止爪部と係止孔部との係止が解除される解除方向に対して力が作用すると、収容本体部からカバーが外れる虞がある。
【０００５】
本発明は、上記課題を解決するためになされたものであって、その目的は、収容本体部からカバーが外れることを抑えることができる導電部材収容箱を提供することにある。
【課題を解決するための手段】
【０００６】
上記課題を解決する導電部材収容箱は、開口部を有して該開口部内に蓄電素子と接続される導電部材を収容する収容本体部と、前記収容本体部に取り付けられて前記開口部を閉塞可能なカバーと、を備えた導電部材収容箱であって、前記カバーは、前記収容本体部と係合するためのカバー側係合部を有し、前記収容本体部は、前記カバー側係合部と係合するための本体側係合部と、前記カバーに対して、前記カバー側係合部と前記本体側係合部との係合が解除される解除方向の力が加えられた時に、前記解除方向と反対方向から前記カバー側係合部に当接して前記カバー側係合部の移動を規制する規制壁部とを有する。
【０００７】
この構成によれば、解除方向と反対方向からカバー側係合部に当接してカバー側係合部の移動を規制する規制壁部を有する。これにより、カバー側係合部と本体側係合部との係合が解除されることが抑えられるため、収容本体部からカバーが外れることを抑えることができる。
【０００８】
上記の導電部材収容箱において、本体側係合部は、前記規制壁部から前記収容本体部側に延出するように構成されることが好ましい。
この構成によれば、本体側係合部が規制壁部から収容本体部側に延出する構成であるため、規制壁部から離間する方向に本体側係合部を弾性変形させることが可能となる。これにより、カバー側係合部との係合を容易とすることができる。
【０００９】
上記の導電部材収容箱において、カバー側係合部は、前記本体側係合部を嵌入して係合可能な枠状をなすことが好ましい。
この構成によれば、カバー側係合部は、前記本体側係合部を嵌入して係合可能な枠状をなすため、カバー側係合部が枠状をなすことで本体側係合部をカバー側係合部の枠内に嵌入することとなる。このとき、本体側係合部がカバー側係合部の枠の開口部分から露出することとなるため、本体側係合部を規制壁部とは逆側に撓ませることでカバー側係合部と本体側係合部との係合状態を解除することができる。
【００１０】
上記の導電部材収容箱において、導電部材は、前記蓄電素子の電圧を検知するための電圧検知線であることが好ましい。
この構成によれば、電圧検知線がカバーによって覆われることとなるため、電圧検知線が導電部材収容箱からはみ出すことが抑えられる。
【発明の効果】
【００１１】
本発明の導電部材収容箱によれば、収容本体部からカバーが外れることを抑えることができる。
【図面の簡単な説明】
【００１２】
【図１】一実施形態の蓄電素子と導電部材収容箱とを示す概略構成図。
【図２】図１の２−２線における導電部材収容箱の断面図。
【図３】同形態の導電部材収容箱のカバー係合構造を説明するための斜視図。
【図４】同形態の収容本体部の一部を示す平面図。
【図５】同形態の収容本体部の一部を示す断面図。
【図６】同形態のカバーの一部を示す正面図。
【図７】同形態の導電部材収容箱のカバー係合構造を説明するための正面図。
【発明を実施するための形態】
【００１３】
以下、導電部材収容箱の一実施形態について説明する。
図１に示すように、本実施形態の導電部材収容箱１０は、合成樹脂からなり、蓄電素子１１の電圧を検知するための電圧検知線１２を収容するためのものである。
【００１４】
図２に示すように、導電部材収容箱１０は、収容本体部２０と、カバー３０とを有する。
収容本体部２０は、略有底筒状をなすように構成され、蓄電素子１１の電圧を検知する電圧検知線１２を収容している。
【００１５】
カバー３０は、略板状をなすように構成され、収容本体部２０の周壁２１を構成する側壁２１ａに設けられるヒンジ４０によって収容本体部２０と一体構成とされる。なお、図２において、カバー３０と収容本体部２０とのハッチングが異なるように図示しているが、図面の理解を容易とするためのものである。
【００１６】
図２、図３及び図６に示すように、カバー３０の端部３０ａには後述する収容本体部２０側の規制部２２と係合するカバー側係合部３１が設けられる。
カバー側係合部３１は、カバー３０の端部３０ａからＬ字状に延出する２つの延出片３２と、各延出片３２の先端部同士を接続する接続片３３とを有する。２本の延出片３２間は離間するよう構成される。つまり、カバー側係合部３１は前記端部３０ａとで枠状をなすように構成される。
【００１７】
図２、図３及び図５に示すように、収容本体部２０は、前記側壁２１ａと対向する側壁２１ｂに、カバー３０と係合してカバー３０の開動作を規制する規制部２２を有する。
図２〜図５に示すように、規制部２２は、側壁２１ｂの外側面２１ｃから延出形成される規制壁部２３と、規制壁部２３から延出形成される本体側係合部２４とを有する。
【００１８】
規制壁部２３は、側壁２１ｂの外側面２１ｃから外側面２１ｃと直交する方向延出して互いに対向する２つの延出壁部２３ａと、２つの延出壁部２３ａの先端側で接続する接続壁部２３ｂとを有する。接続壁部２３ｂは、側壁２１ｂと略平行な壁面を有する構成となっている。
【００１９】
図３及び図７に示すように、規制壁部２３の各延出壁部２３ａは、その離間距離がカバー３０のカバー側係合部３１を挿通可能なように離間されている。
図２〜図５に示すように、本体側係合部２４は、２つの第１延出壁部２４ａと、２つの第２延出壁部２４ｂと、接続片２４ｃとを有する。
【００２０】
２つの第１延出壁部２４ａは、接続壁部２３ｂの内側面２３ｃから内側面２３ｃと直交する方向であって収容本体部２０の側壁２１ｂに近接する方向に延出するように形成される。
【００２１】
２つの第２延出壁部２４ｂは、第１延出壁部２４ａの先端から第１延出壁部２４ａと直交する方向（内側面２３ｃと略平行な方向）に延出するように形成される。
接続片２４ｃは、第２延出壁部２４ｂ同士を接続するものである。接続片２４ｃには、カバー側係合部３１と係合（係止）する係止爪部２４ｄが設けられる。係止爪部２４ｄは、前記第２延出壁部２４ｂの延出方向の基端から先端にかけて厚さが徐々に薄くなるような傾斜面２４ｅを有する。
【００２２】
ここで、係止爪部２４ｄと、接続壁部２３ｂとの最短距離Ｌ１（図４及び図５参照）は、カバー側係合部３１の接続片３３の厚みＴ１（図３参照）よりも短い（Ｌ１＜Ｔ１）構成となっている。このため、カバー３０のカバー側係合部３１を規制壁部２３と、本体側係合部２４との間に挿通して係止爪部２４ｄを乗り越えることで、カバー３０が収容本体部２０にロックされる。具体的には、カバー側係合部３１が抜ける方向（図２において上方向）に力が作用した場合、係止爪部２４ｄが当接することとなるため、カバー側係合部３１の抜けが抑えられてロック状態となる。
【００２３】
また、本実施形態では、カバー３０に対してカバー側係合部３１が本体側係合部２４から離間する方向、換言すると規制壁部２３に近接する方向（図２において左方向）の力が作用した場合、規制壁部２３がカバー側係合部３１と当接する。このため、カバー側係合部３１の接続片３３が係止爪部２４ｄを乗り越えることが抑えられる。これによってカバー３０が収容本体部２０から外れることが抑えられている。
【００２４】
次に、上記の導電部材収容箱１０の作用について説明する。
本実施形態の導電部材収容箱１０には、収容本体部２０とカバー３０とで形成される収容空間内に導電部材としての電圧検知線１２が収容されている。収容本体部２０とカバー３０とが、カバー側係合部３１と本体側係合部２４とが係合することでロック状態となっている。また、本実施形態のカバー側係合部３１が本体側係合部２４から離間する方向（解除方向）に移動しようとした際に、規制壁部２３によってカバー側係合部３１の移動が規制されることで、カバー側係合部３１と本体側係合部２４との係合が解除されることが抑えられている。
【００２５】
また、係止爪部２４ｄに傾斜面２４ｅを有するため、カバー側係合部３１を挿通し易くなっている。
また、図７に示すように、カバー側係合部３１は、枠状をなすように構成されるため、カバー側係合部３１と本体側係合部２４とが係合した状態で本体側係合部２４がカバー側係合部３１の枠の開口部分から露出するようになっている。
【００２６】
次に、本実施形態の効果を記載する。
（１）解除方向と反対方向からカバー側係合部３１に当接してカバー側係合部３１の移動を規制する規制壁部２３を有する。これにより、カバー側係合部３１と本体側係合部２４との係合が解除されることが抑えられるため、収容本体部２０からカバー３０が外れることを抑えることができる。
【００２７】
（２）また、規制壁部２３自身の積極的な弾性変形はない。これにより、カバー側係合部３１と本体側係合部２４との係合が解除されることが抑えられるため、収容本体部２０からカバー３０が外れることを抑えることができる。
【００２８】
（３）本体側係合部２４が規制壁部２３から収容本体部２０側に延出する構成であるため、規制壁部２３から離間する方向に本体側係合部２４を弾性変形させることが可能となる。これにより、カバー側係合部３１との係合を容易とすることができる。
【００２９】
（４）カバー側係合部３１は、本体側係合部２４を嵌入して係合可能な枠状をなすため、カバー側係合部３１が枠状をなすことで本体側係合部２４をカバー側係合部３１の枠内に嵌入することとなる。このとき、本体側係合部２４がカバー側係合部３１の枠の開口部分から露出することとなるため、本体側係合部２４を規制壁部２３とは逆側に撓ませることでカバー側係合部３１と本体側係合部２４との係合状態を解除することができる。
【００３０】
（５）電圧検知線１２がカバー３０によって覆われることとなるため、電圧検知線１２が導電部材収容箱１０からはみ出すことが抑えられる。
なお、上記実施形態は、以下のように変更してもよい。
【００３１】
・上記実施形態では、カバー側係合部３１を開口を有する枠状に構成して接続片３３と係止爪部２４ｄとが係合する構成としたが、これに限らない。例えばカバー側係合部３１を非開口形状（溝など）として、係止爪部２４ｄと係合する構成を採用してもよい。
【００３２】
また、カバー側係合部３１を２つの延出片３２と接続片３３とで構成したが、これに限らない。例えば１つの延出片３２に対して突起又は溝等を設けて前記係止爪部２４ｄと係合する構成を採用してもよい。
【００３３】
・上記実施形態では、本体側係合部２４を規制壁部２３から延出するような構成としたが、本体側係合部２４を側壁２１ｂ（外側面２１ｃ）に設けてもよい。
・上記実施形態では、収容本体部２０とカバー３０とを一体形成としたが、これに限らない。例えば収容本体部２０とカバー３０とを別体形成した後に一体構成としてもよい。
【００３４】
・上記実施形態では、導電部材として蓄電素子１１の電圧を検出するための電圧検知線１２としたが、これに限らない。例えば、特開２０１５−２１６３号公報において示されるように蓄電素子と接続されるバスバーを導電部材として採用してもよい。
【００３５】
・上記実施形態では、導電部材収容箱１０を合成樹脂で構成したが、その材料は特に問わない。
・上記実施形態並びに各変形例は適宜組み合わせてもよい。
【符号の説明】
【００３６】
１０…導電部材収容箱
１１…蓄電素子
１２…電圧検知線（導電部材）
２０…収容本体部
２３…規制壁部
２４…本体側係合部
３０…カバー
３１…カバー側係合部
【図１】
2018101538.tif 000003
【図２】
2018101538.tif 000004
【図３】
2018101538.tif 000005
【図４】
2018101538.tif 000006
【図５】
2018101538.tif 000007
【図６】
2018101538.tif 000008
【図７】
2018101538.tif 000009